(57)【要約】【課題】医療用のキット製品など、大きさ、形状の異なる複数の物品を納まりよく包装し、バイアル瓶その他ガラス製の容器など破損しやすいものの破損を防止する。【解決手段】この包装用箱Ｂ１は、天面に天蓋１８で開閉される開口を有する箱１として構成され、箱１内に当該箱１内を各種物品の大きさ、形状に合わせてレイアウトするための立体形状のレイアウト用仕切り２を一体に備え、また、この仕切り２に破損しやすい物品の保持部２２０を備えて、箱１内の仕切り２により区画された各部及び仕切り２に形成された保持部２２０に各種物品を収納するようにした。【選択図】図１
2014234234.tif 000002
【特許請求の範囲】
【請求項１】
天面に天蓋で開閉される開口を有する箱として構成され、大きさ、形状の異なる複数の物品を包装する包装用箱において、
前記箱内に当該箱内を各種物品の大きさ、形状に合わせてレイアウトするための立体形状のレイアウト用仕切りを一体に備え、
前記箱内の前記レイアウト用仕切りにより区画された各部に各種物品を収納する、
ことを包装用箱。
【請求項２】
レイアウト用仕切りは破損しやすい物品の保持部を備える請求項１に記載の包装用箱。
【請求項３】
箱は正面、左右両側面及び背面の４側面と、天面をなす天蓋及び一対のフラップと、底面をなす前後に２分割された底蓋及び一対のフラップとを備え、相互に隣り合う前記各側面が内側面を合せて、前記各底蓋と前記正面及び前記背面がそれぞれ内側面を合せて折り畳み可能に構成され、レイアウト用仕切りは前記箱の前後いずれか一方の底蓋と正面又は背面との間で折り畳み可能に構成される請求項１又は２に記載の包装用箱。
【請求項４】
箱の各底蓋は底面の相互に対向する一方の角部間を結ぶ斜めの線に近接する略斜めの位置で係合可能に、前記各底蓋の相互に対向する各縁部の前記一方の角部側となる一端部側に前記略斜めの位置に沿って凹部が、他端部側に前記略斜めの位置から突出する凸部が前記各縁部間で凹部と凸部が対向するように形成され、前記各底蓋の前記一端部側の一部を前記箱の底面が相互に対向する他方の角部間を結ぶ対角線上で折り畳み可能に所定の位置に折り畳み線を付けられて接着片となし、前記各底蓋の各接着片が近接する各下フラップに接着固定され、前記各底蓋間で前記各凸部が前記各凹部から前記各底蓋の内側に差し込まれて組み合わせられる請求項３に記載の包装用箱。
【請求項５】
レイアウト用仕切りは箱の一方の底蓋の凸部に連続して、当該一方の底蓋と前記箱の正面又は背面との間に略筒形の立体形状に形成され、当該立体形状の一端を前記箱の正面又は背面に接着固定されて組み立てられ、その上面に破損しやすい物品の胴部を保持するための穴を有する請求項４に記載の包装用箱。
【請求項６】
箱はレイアウト用仕切りとともに、一枚のブランクシートから一体的に打ち抜かれて形成される一枚の紙基材からなる請求項１乃至５のいずれかに記載の包装用箱。
【発明の詳細な説明】
【技術分野】
【０００１】
本発明は包装用箱に関し、特に、医療用のキット製品など、大きさ、形状の異なる複数の物品を収納するのに使用する包装用箱に関する。
【背景技術】
【０００２】
従来から病院等の医療機関では、バイアル等の薬剤容器に入った粉末薬剤あるいは凍結乾燥薬剤などの乾燥製剤が、使用時に注射器内に薬液溶解液などを用いて溶解され、輸液として点滴注射に用いられている。これらの薬剤は、薬液の状態にしておくとその効力が失われていくため、薬液の状態で保管することができないからである。ところが、このような注射器を用いての混合操作は、煩雑で手間がかかる上に、バイアルの中の薬剤が汚染される虞があるという問題を含んでいる（特許文献１参照）。
そこで、このような投薬調剤時の負担を軽減するため、また、細菌汚染、異物の混入を防止するために、従来から、薬剤と医療用器具などを一つの製品形態としたキット製品が医薬品や医療用器具などの取り扱い事業者により提案されている（特許文献２参照）。
【０００３】
さて、このような医療用のキット製品は一般に紙箱に包装されて医療機関に提供される。この場合、薬剤や医療用器具がそれぞれ大きさ、形状が異なるため、これらの物品が紙箱の中で納まりがよく、また、取り出しやすいレイアウトで包装されることが望まれる。また、このキット製品に薬剤が入ったバイアル瓶などガラス製の容器が含まれる場合は、ガラス製の容器が紙箱内で割れないように、このガラス製の容器を箱内に緩衝用の仕切りを介して保持することが求められる（特許文献３参照）。
図６、図７、図８及び図９にこの種の医療用のキット製品及びその包装用箱による包装状態の一例を示している。
図６に示すように、この場合のキット製品は、薬剤が収容された１本のバイアル瓶６１、ブリスターパックされた１個のツートック６２、ブリスターパックされた１本のシリンジ６３、折り畳まれた１枚の添付文書６４の組み合わせになっている。
図７に示すように、このキット製品の包装用箱Ｂ２は、箱７と、箱７内に設置される緩衝用の仕切り８（図９参照）とからなる。箱７は全体が横に長い直方体形に形成されて、正面７１、左右両側面７２、７３及び背面７４の４側面と、天面をなす天蓋７５及び一対の上フラップ７６Ｌ、７６Ｒと、底面をなす前後に２分割された底蓋７８Ｆ、７８Ｒ及び一対の下フラップ７９Ｌ、７９Ｒとを備え、この場合、図７及び図８に示すように、各底蓋７８Ｆ、７８Ｒが底面の略中央で係合可能に、各底蓋７８Ｆ、７８Ｒの相互に対向する各縁部に凸部７８１及び凹部７８２が各縁部間で凸部７８１と凹部７８２が対応するように形成され、また、各底蓋７８Ｆ、７８Ｒの凹部７８２側の一端部に折り畳み線７８４を介して接着片７８３が突出形成されて、各底蓋７８Ｆ、７８Ｒの各接着片７８３が近接する各下フラップ７９Ｌ、７９Ｒに接着固定され、各底蓋７８Ｆ、７８Ｒ間で各凸７８１部が各凹部７８２から各底蓋７８Ｆ、７８Ｒの内側に差し込まれて組み合わせられる。このようにしてこの包装用箱Ｂ２は４側面７１、７２、７３、７４のうちの相互に隣り合う所定の各側面が内側面を合せて、かつ各底蓋７８Ｆ、７８Ｒが当該各底蓋７８Ｆ、７８Ｒが連接される各側面に内側面を合せて、略扁平状に折り畳み可能に構成され、折り畳まれた状態からワンタッチで組み立てられるようになっている。
図９に示すように、緩衝用の仕切り８は、全体が箱７内に配置可能な大きさで横に長い角形の筒状に構成され、その上面にバイアル瓶の胴部を保持するための穴８０が形成される。なお、この仕切り８の場合、全体の大きさが箱７内の大きさとこの箱７内に収納される他の器具の大きさを考慮して決められる。このようにしてバイアル瓶６１を仕切り８上面の穴８０に差し込んでバイアル瓶６１を保持し、箱１内に設置するようになっている。
図９に示すように、キット製品は箱７内に予め定められたレイアウトで収納される。この場合、バイアル瓶６１が仕切り８に保持され、この仕切り８を介して箱７内の背面７４側に右側面７３側に寄せて収納される。また、この仕切り８により、箱７内にブリスターパックされたツートック６２とシリンジ６３の収納部分が画成され、ツートック６２が箱７内の背面７４側に左側面７２側に寄せて収納され、シリンジ６３が箱７内の正面７１側に右側面７３と左側面７２との間に収納される。そして、これら収納物の上に添付文書６４が折り畳まれた状態で載せられる。このようにしてキット製品を箱７内に収納したら、箱７の天面開口が天蓋７５で閉塞されて、キット製品の包装を完了する。
【先行技術文献】
【特許文献】
【０００４】
【特許文献１】ＷＯ２００７／１４８７０８公報（段落０００２）
【特許文献２】特開２００４−２３６９６２公報（段落０００６）
【特許文献３】特開２０１０−  １３１２６公報
【発明の概要】
【発明が解決しようとする課題】
【０００５】
しかしながら、上記従来のキット製品の包装用箱では、次のような問題がある。
（１）箱はワンタッチで組み立てられるようになっているものの、キット製品にバイアル瓶などのガラス製の容器が含まれる場合、この容器を保護するために、別途緩衝用の仕切りを入れる必要があり、この分だけ箱の中に入れるものが増え、また、仕切りに容器を差し込んでからこの仕切りを箱内に入れるため、この分だけ包装作業が増え、キット製品の包装作業が低下する。
（２）仕切りは箱と別体で箱の中の一部に置かれるだけなので、この箱に包装されたキット製品の運搬中やキット製品使用時の箱の移動の際に、仕切りが箱の中で動きやすく、キット製品の初期の収納状態が安定しない。
（３）箱をワンタッチで組み立てられるように、各底蓋が底面の略中央で係合可能に、各底蓋の相互に対向する各縁部に凸部及び凹部が各縁部間で凸部と凹部が対応するように形成され、また、各底蓋の凹部側の一端部に折り畳み線を介して接着片が突出形成されて、各底蓋の各接着片が近接する各下フラップに接着固定され、各底蓋間で各凸部が各凹部から各底蓋の内側に差し込まれて組み合わせられるため、一方の底蓋の接着片と下フラップとの接着部分と他方の底蓋の縁部の凹部との間に隙間が生じやすく、このような隙間があると異物混入の原因となるため、薬剤を包装する箱としては好ましくない。
【０００６】
本発明は、このような従来の問題を解決するもので、この種の包装用箱において、医療用のキット製品など、大きさ、形状の異なる複数の物品を納まりよく、また、取り出しやすいレイアウトで包装できるようにすること、医療用のキット製品に薬剤の入ったバイアル瓶などが含まれる場合のように、ガラス製の容器など破損しやすい物品が併せて包装される場合に、この物品が箱内で破損しないように、この物品を箱内に緩衝用の仕切りを介して保持できるようにすること、キット製品の箱を仕切りとともにワンタッチで組み立てできるようにして、複数の物品の包装作業を向上させること、箱の中で仕切りが動くことがなく、各種物品の初期の収納状態を安定的に維持できるようにすること、箱の底面の隙間を可及的に少なくして、改竄防止の効果を高めること、従来の貼り機にも適用できるようにすることなど、を目的とする。
【課題を解決するための手段】
【０００７】
上記目的を達成するために、本発明の包装用箱は、天面に天蓋で開閉される開口を有する箱として構成され、大きさ、形状の異なる複数の物品を包装する包装用箱において、前記箱内に当該箱内を各種物品の大きさ、形状に合わせてレイアウトするための立体形状のレイアウト用仕切りを一体に備え、前記箱内の前記レイアウト用仕切りにより区画された各部に各種物品を収納する、ことを要旨とする。
また、この包装用箱は、次のような構成を併せて備えることが好ましい。
（１）レイアウト用仕切りは破損しやすい物品の保持部を備える。
（２）箱は正面、左右両側面及び背面の４側面と、天面をなす天蓋及び一対のフラップと、底面をなす前後に２分割された底蓋及び一対のフラップとを備え、相互に隣り合う前記各側面が内側面を合せて、前記各底蓋と前記正面及び前記背面がそれぞれ内側面を合せて折り畳み可能に構成され、レイアウト用仕切りは前記箱の前後いずれか一方の底蓋と正面又は背面との間で折り畳み可能に構成される。
この場合、箱の各底蓋は底面の相互に対向する一方の角部間を結ぶ斜めの線に近接する略斜めの位置で係合可能に、前記各底蓋の相互に対向する各縁部の前記一方の角部側となる一端部側に前記略斜めの位置に沿って凹部が、他端部側に前記略斜めの位置から突出する凸部が前記各縁部間で凹部と凸部が対向するように形成され、前記各底蓋の前記一端部側の一部を前記箱の底面が相互に対向する他方の角部間を結ぶ対角線上で折り畳み可能に所定の位置に折り畳み線を付けられて接着片となし、前記各底蓋の各接着片が近接する各下フラップに接着固定され、前記各底蓋間で前記各凸部が前記各凹部から前記各底蓋の内側に差し込まれて組み合わせられることが望ましい。
また、レイアウト用仕切りは箱の一方の底蓋の凸部に連続して、当該一方の底蓋と前記箱の正面又は背面との間に略筒形の立体形状に形成され、当該立体形状の一端を前記箱の正面又は背面に接着固定されて組み立てられ、その上面に破損しやすい物品の胴部を保持するための穴を有することが望ましい。
（３）箱はレイアウト用仕切りとともに、一枚のブランクシートから一体的に打ち抜かれて形成される一枚の紙基材からなる。
【発明の効果】
【０００８】
本発明の包装用箱は、上記の構成により、次のような効果を奏する。
（１）箱内に当該箱内を各種物品の大きさ、形状に合わせてレイアウトするための立体形状のレイアウト用仕切りを一体に備え、箱内のレイアウト用仕切りにより区画された各部に各種物品を収納するようにしたので、医療用のキット製品など、大きさ、形状の異なる複数の物品を納まりよく、また、取り出しやすいレイアウトで包装することができる。
（２）レイアウト用仕切りに破損しやすい物品の保持部を備えるので、医療用のキット製品に薬剤の入ったバイアル瓶などが含まれるなど各種物品の中に破損しやすい物品が含まれる場合に、当該物品を箱内のレイアウト用仕切りに設けた保持部により破損することなく保持することができる。また、この仕切りを箱内に一体に備えるので、箱の中で仕切りが動くことがなく、各種物品の初期の収納状態を安定的に維持することができる。
（３）箱は正面、左右両側面及び背面の４側面と、天面をなす天蓋及び一対のフラップと、底面をなす前後に２分割された底蓋及び一対のフラップとを備え、相互に隣り合う各側面が内側面を合せて、各底蓋と正面及び背面がそれぞれ内側面を合せて折り畳み可能に構成され、レイアウト用仕切りは箱の前後いずれか一方の底蓋と正面又は背面との間で折り畳み可能に構成されるので、箱を仕切りとともにワンタッチで組み立ることができ、複数の物品の包装作業を向上させることができる。
（４）箱の各底蓋は底面の相互に対向する一方の角部間を結ぶ斜めの線に近接する略斜めの位置で係合可能に、各底蓋の相互に対向する各縁部の一方の角部側となる一端部側に前記略斜めの位置に沿って凹部が、他端部側に前記略斜めの位置から突出する凸部が各縁部間で凹部と凸部が対向するように形成され、各底蓋の一方の端部側の一部を箱の底面が相互に対向する他方の角部間を結ぶ対角線上で折り畳み可能に所定の位置に折り畳み線を付けられて接着片となし、各底蓋の各接着片が近接する各下フラップに接着固定され、各底蓋間で各凸部が各凹部から各底蓋の内側に差し込まれて組み合わせられるので、箱の底面の隙間を可及的に少なくして、改竄防止の効果を高めることができる。
（５）箱はレイアウト用仕切りとともに、一枚のブランクシートから一体的に打ち抜かれて形成される一枚の紙基材からなるので、従来の貼り機にも適用することができる。
【図面の簡単な説明】
【０００９】
【図１】本発明の一実施の形態における包装用箱の箱及び仕切りの構成を示す箱の天面側から見た斜視図
【図２】同包装用箱の特に底面の構成を示す箱の底面側から見た斜視図
【図３】同包装用箱を構成する紙基材の構成を示す展開図
【図４】同包装用箱における医療用のキット製品（バイアル瓶、ツートック、シリンジ）の収納状態を示す図
【図５】同包装用箱における医療用のキット製品（バイアル瓶、ツートック、シリンジ、添付文書）の収納状態を示す図
【図６】医療用のキット製品の一例を示す図
【図７】従来の医療用のキット製品の包装に用いる包装用箱の構成を示す箱の天面側から見た斜視図
【図８】同包装用箱の特に底面の構成を示す箱の底面側から見た斜視図
【図９】同包装用箱における医療用のキット製品（バイアル瓶、ツートック、シリンジ、添付文書）の収納状態を示す図
【発明を実施するための形態】
【００１０】
次に、この発明を実施するための形態について図を用いて説明する。図１に本発明の包装用箱を示し、図２にこの箱の特に底面を示している。なお、ここで例示する包装用箱Ｂ１は、大きさ、形状の異なる複数の物品の組み合わせからなる医療用のキット製品を包装する厚紙その他の紙材からなる箱で、この場合、既述の薬剤が収容された１本のバイアル瓶、ブリスターパックされた１本のシリンジ、ブリスターパックされた１個のツートック、折り畳まれた１枚の添付文書をまとめて収容するようになっている。
【００１１】
図１に示すように、包装用箱Ｂ１は、天面に天蓋１８で開閉される開口１０１を有する箱１として構成され、箱１内に当該箱１内を各種物品（バイアル瓶、シリンジ、ツートック、添付文書）の大きさ、形状に合わせてレイアウトするための立体形状のレイアウト用仕切り２を一体に備え、また、このレイアウト用仕切り２に破損しやすい物品の保持部２２０を備えて、箱１内のレイアウト用仕切り２により区画された各部及びレイアウト用仕切り２に形成された保持部２２０に各種物品を収納する形式になっている。
【００１２】
この包装用箱Ｂ１において、箱１は略直方体形に形成され、正面１１、左右両側面１２、１４及び背面１３の４側面と、天面をなす天蓋１８及び左右一対の上フラップ１６Ｌ、１６Ｒと、底面をなす前後に２分割された底蓋１９Ｆ、１９Ｒ（図２参照）及び左右一対の下フラップ１７Ｌ、１７Ｒとを備える。
この場合、箱１は全体が横に長い略直方体形に形成され、正面１１、背面１３、天面（天蓋１８）、底面（前後の各底蓋１９Ｆ、１９Ｒ全体）が横に長い長方形に、左右両側面１２、１４が僅かに縦長の長方形になっている。また、天面にあっては、各上フラップ１６Ｌ、１６Ｒが略台形に形成され、天蓋１８が天面の開口１０１と略同じ大きさの横長の長方形に形成されて、その先端に差し込み片１８１が突出して形成される。底面にあっては、各下フラップ１７Ｌ、１７Ｒが略台形に形成される。前後の各底蓋１９Ｆ、１９Ｒは、図２に示すように、底面が前後に２分割された形状で、かつ各底蓋１９Ｆ、１９Ｒの相互に対向する縁部に凹部１９２及び凸部１９１が対称的に形成される。この底壁１９Ｆ、１９Ｒの場合、箱１の各底蓋１９Ｆ、１９Ｒは、図２に示すように、底面の相互に対向する一方の角部間を結ぶ斜めの線に近接する略斜めの位置（この場合、一方の角部間を結ぶ斜めの線を超えないで近接する略斜めの位置で、ここでは、図２中、Ｌ１で示す略斜めの位置（以下、同じ））で係合可能に、各底蓋１９Ｆ、１９Ｒの相互に対向する各縁部の一方の角部側となる一端部側に略斜めの位置Ｌ１に沿って凹部１９２が、他端部側に略斜めの位置Ｌ１から適宜突出する凸部１９１が各縁部間で凹部１９２と凸部１９１が対向するように形成され、各底蓋１９Ｆ、１９Ｒの一端部側の一部が箱１の底面が相互に対向する他方の角部間を結ぶ対角線上で折り畳み可能に所定の位置に折り畳み線１９４を付けられて接着片１９３をなす。このようにして各底蓋１９Ｆ、１９Ｒの各接着片１９３が近接する各下フラップ１７Ｌ、１７Ｒに接着剤を介して接着固定され、各底蓋１９Ｆ、１９Ｒ間で各凸部１９１が各凹部１９２から各底蓋１９Ｆ、１９Ｒの内側に差し込まれて組み合わせられる。かかる箱１の各部の形状及び構造から、この箱１は、相互に隣り合う各側面が内側面を合せて、この場合、正面１１と右側面１４、背面１３と左側面１２がそれぞれ内側面を合せて、かつ前後の各底蓋１９Ｆ、１９Ｒと正面１１及び背面１３が内側面を合せて、この場合、前側の底壁１９Ｆと正面１１、後側の底壁１９Ｒと背面１３がそれぞれ内側面を合せて全体として略扁平状に折り畳み可能に構成される。
【００１３】
この包装用箱Ｂ１において、レイアウト用仕切り２は、箱１の後側の底蓋１９Ｒ（又は前側の底蓋１９Ｆ）の凸部１９１に連続して、この底蓋１９Ｒ（又は底蓋１９Ｆ）と箱１の背面１３（又は正面１１）との間に略筒形の立体形状に形成され、当該立体形状の一端が箱１の背面１３（又は正面１１）に接着固定されて組み立てられ、箱１の後側の底蓋１９Ｒ（又は前側の底蓋１９Ｆ）と背面１３（又は正面１１）との間で折り畳み可能に構成される。この仕切り２の上面２２に破損しやすい物品の胴部を保持するための保持部（穴）２２０が形成される。
この場合、レイアウト用仕切り２は後側の底蓋１９Ｒに延長して後側の底蓋１９Ｒ上で横に長い直方体状の筒形に形成され、その先端側が箱１の背面１３下部に接着剤を介して固定される。なお、この仕切り２の場合、横の長さが箱１の横の長さの２分の１よりも少し小さく、縦の長さが箱１の縦の長さの２分の１よりも少し小さく、高さが箱１の高さの２分の１よりも少し低い大きさで、箱１の内部で後側の底蓋１９Ｒと背面１３と右側面１４で囲まれた区画に形成される。この仕切り２の上面２２の中央に保持部２２０は箱１の背面１３側から略半楕円形に切り抜き形成され、その切り抜かれた部分が箱１の背面１３の上部側に接着剤を介して固定される。このようにしてレイアウト用仕切り２は、箱１とともに、上面２２と正面２１がそれぞれ内側面を合せて箱１の後側の底蓋１９Ｒと背面１３との間で略扁平状に折り畳み可能に構成される。
【００１４】
また、この場合、箱１はレイアウト用仕切り２とともに、一枚のブランクシートから一体的に打ち抜かれて形成される一枚の紙基材からなる。
図３にこの紙基材Ｐを示している。図３に示すように、この紙基材Ｐは箱１をなす箱形成形状部１Ｐとレイアウト用仕切り２をなす仕切り形成形状部２Ｐとからなる。
【００１５】
箱形成形状部１Ｐは、一方の側部側に一方の側縁に接着片１５をなす縦長の帯状の接着片形状部１５Ｐを有し、箱１の背面１３をなす所定の大きさを有する横長の長方形の背面形状部１３Ｐが形成され、この背面形状部１３Ｐの（接着片形状部１５Ｐとは反対側の）一方の短辺側に、箱１の左側面１２をなす所定の大きさを有する縦長の長方形の左側面形状部１２Ｐ、正面１１をなす背面形状部１３Ｐと同じ大きさ、形状を有する正面形状部１１Ｐ、右側面１４をなす左側面形状部１２Ｐと同じ大きさ、形状を有する右側面形状部１４Ｐが順次、折れ線３１、３２、３３、３４を介して連続して形成され、さらに、背面形状部１３Ｐの一方の長辺側に折れ線３５を介して延出され、天蓋１８をなす所定の大きさを有する横長の長方形の天蓋形状部１８Ｐ、及びその延長上に折れ線３６を介して連続して形成され、天蓋１８の差し込み片１８１をなす横長の帯状の差し込み片形状部１８１Ｐと、背面形状部１３Ｐの他方の長辺側に折れ線３７を介して延出され、所定の大きさを有する横長の形状で、左側面形状部１２Ｐ側の一端側の縁部１９２Ｅが一端が突出し略中央に向けて徐々に後退する斜めに、略中央の縁部１９１Ｅが略湾曲状の凸状に、他端側の縁部１９０Ｅが折れ線３７と略平行に形成され、後側の底壁１９Ｒをなす後側底壁形状部１９ＲＰと、後側底壁形状部１９ＲＰの他端側の縁部１９０Ｅに、折れ線４３を介して、また、この他端側の縁部１９０Ｅに連続する略中央の縁部１９１Ｅの略片側半分の部分との間に切り込み１９１Ｃを入れて延出され、レイアウト用仕切り２を形成するための所定の大きさを有する横長の長方形の仕切り形成形状部２Ｐと、左側面形状部１２Ｐの一方の短辺側に折れ線３８を介して延出され、上フラップ１６Ｌをなす所定の大きさを有する略台形の上フラップ形状部１６ＬＰと、左側面形状部１２Ｐの他方の短辺側に折れ線３９を介して延出され、下フラップ１７Ｌをなす所定の大きさを有する三角形に近似する台形の下フラップ形状部１７ＬＰと、正面形状部１１Ｐの一方の長辺の一部（この場合、中央よりも少し右側）に半円状に形成される切欠部１１０と、正面形状部１１Ｐの他方の長辺側に折れ線４０を介して延出され、所定の大きさを有する横長の形状で、右側面形状部１４Ｐ側の一端側の縁部１９２ｅが一端が突出し略中央に向けて徐々に後退する斜めに、他端側の縁部１９１ｅが略中央側が円弧状に突出し他端に向けて折れ線４０と略平行に形成され、前側の底壁１９Ｆをなす前側底壁形状部１９ＦＰと、右側面形状部１４Ｐの一方の短辺側に折れ線４１を介して延出され、上フラップ１６Ｒをなす一方の上フラップ形状部１６ＬＰと概ね同じ大きさ、形状を有する上フラップ形状部１６ＲＰと、右側面形状部１４Ｐの他方の短辺側に折れ線４２を介して延出され、下フラップ１７Ｒをなす一方の下フラップ形状部１７ＬＰと概ね同じ大きさ、形状を有する下フラップ形状部１７ＲＰとを備える。
ここで、前後の各正面形状部１１Ｐ、背面形状部１３Ｐの横方向の長さは左右の各側面形状部１２Ｐ、１４Ｐの長さよりも大きくなっている。天蓋形状部１８Ｐは箱１の天面開口１０１全面を閉塞可能な大きさを有している。前後の各底蓋形状部１９ＦＰ、１９ＲＰは、底面の相互に対向する一方の角部間を結ぶ斜めの線に近接する略斜めの位置、ここでは図２中に示す略斜めの位置Ｌ１で係合可能に底面が前後に２分割された形状で、前側底蓋形状部１９ＦＰの後側底蓋形状部ＲＰの縁部に対向する縁部は一方の角部側となる一端部側に略斜めの位置Ｌ１に沿って凹部１９２が、他端部側に略斜めの位置Ｌ１から略台形状に突出する凸部１９１が形成され、この底蓋形状部１９ＦＰの一端部側の一部が、箱１の底面が相互に対向する他方の角部間を結ぶ対角線上で折り畳み可能に所定の位置に折り畳み線１９４を付けられて接着片１９３をなし、後側底蓋形状部１９ＲＰの前側底蓋形状部１９ＦＰの縁部に対向する縁部は一方の角部側となる一端部側に略斜めの位置Ｌ１に沿って凹部１９２が、他端部側の一部で凹部１９２側の端部に略斜めの位置Ｌ１から湾曲状に突出する凸部１９１が形成され、この底蓋形状部１９ＲＰの一端部側の一部が、箱１の底面が相互に対向する他方の角部間を結ぶ対角線上で折り畳み可能に所定の位置に折り畳み線１９４を付けられて接着片１９３をなす。左右の各上フラップ形状部１６ＬＰ、１６ＲＰは箱１の天面開口１０１面の左右両側の一部を閉塞可能に同じ大きさを有している。左右の各下フラップ形状部１７ＬＰ、１７ＲＰは箱１の底面開口１０２面の左右両側の一部を閉塞可能に同じ大きさを有している。
【００１６】
また、レイアウト用仕切り形成形状部２Ｐは、箱形成形状部１Ｐの後側底蓋形状部１９ＲＰの他端側の縁部１９０Ｅ、及び略中央の縁部１９１Ｅの略片側半分の部分付近から延長して、また、略中央の縁部１９１Ｅ（の略半分の部分）との間に切り込み１９１Ｃが付けられて、組み立て状態で仕切り２の正面２１をなす横長の略長方形の正面形状部２１Ｐ、組み立て状態で仕切り２の上面２２をなす横長の略長方形の上面形状部２２Ｐ、組み立て状態で仕切り２の背面２３をなす横長の長方形の背面形状部２３Ｐが順次、折れ線４３、４６１、４６２を介して連続して形成され、上面形状部２２Ｐの略中央に背面形状部２３Ｐ側の折れ線４６２から略逆Ｕ字形に切り込み２２０Ｐが付けられる。
この場合、折れ線４６１、４６２には、略逆Ｕ字形の切り込み２２０Ｐの両側にそれぞれ、両側の各折れ線４６１、４６２の部分の両端に繋ぎ部分を少し残すようにして一連の切り込み４６１Ｃ、４６２Ｃが付けられる。
また、この場合、正面形状部２１Ｐ、背面形状部２３Ｐはそれぞれ、横の長さが箱１の横の長さの２分の１よりも少し小さく、高さが箱１の高さの２分の１よりも少し低く形成される。上面形状部２２Ｐは横の長さが正面形状部２１Ｐと同様で、縦の長さが箱１の縦の長さの２分の１よりも少し小さく形成される。
【００１７】
このような構成からなる紙基材Ｐは、まず、仕切り形成形状部２Ｐの各形状部２１Ｐ〜２３Ｐが次のように折り曲げられ、各接着箇所が接着されて、レイアウト用仕切り２が組み立てられる。
この仕切り２の組み立てについて、主として図３を用い、必要に応じて図１を参照して説明する。なお、この説明では、仕切り形成形状部２Ｐの組み立てについて経時的に述べるが、この説明は、この仕切り形成形状部２Ｐの実際の組み立て方、すなわち、自動貼り機を使った仕切り形成形状部２Ｐの組み立て工程を説明するものではなく、単に、仕切り形成形状部２Ｐの各形状部と仕切り２の各面とを対応させた仕切り２の成り立ちを説明するものである。
図３において、初めに、後側底蓋形状部１９ＲＰに対して折れ線４３を介して正面形状部２１Ｐがその外側面を外側に向けて略直角に折り曲げられ、図１に示すように、仕切り２の正面２１が形成される。図３、図１を同様にして交互に見ていくと、これに続いて、正面部２１に対して折れ線４６１を介して上面形状部２２Ｐが略直角に折り曲げられて、上面部２２が形成される。なお、この場合、折れ線４６１に切り込み４６１Ｃが付けられているので、この面の折り曲げを容易に行うことができる。続いて、上面部２２に対して折れ線４６２を介して背面形状部２３Ｐが正面２１と略平行となるように略直角に折り曲げられて、背面２３が形成される。なお、この場合、折れ線４６２に切り込み４６２Ｃが付けられているので、この面の折り曲げを容易に行うことができる。この背面２３の外側面が接着剤を介して箱形成形状部１Ｐの背面形状部１３Ｐの内側面の下部に接着固定される。そして、上面２２の切り込み２２０Ｐに沿って切り込み２２０Ｐ内の部分が切り起こされ、この部分が箱形成形状部１Ｐの背面形状部１３Ｐの内側面の上部側に接着固定されて、上面２２に保持部２２０が形成される。これにより、仕切り２が箱形成形状部１Ｐの背面形状部１３Ｐの内側面上に組み立てられる。
このようにして仕切り２は正面２１、上面２２、背面２３がそれぞれ、背面形状部１３Ｐの内側面に倒伏して折り畳み可能に構成される。
【００１８】
次に、箱形成形状部１Ｐの各形状部１１Ｐ〜１９ＦＰ、１９ＲＰが折り曲げられ、各接着箇所を接着されて、箱１が組み立てられる。
この箱１の組み立てについて、主として図３を用い、必要に応じて図１、図２を参照して説明する。なお、この説明では、箱形成形状部１Ｐの各形状部１１Ｐ〜１９ＦＰ、１９ＲＰの組み立てについて経時的に述べるが、この説明は、この箱形成形状部１Ｐの各形状部１１Ｐ〜１９ＦＰ、１９ＲＰの実際の組み立て方、すなわち、自動貼り機を使った箱形成形状部１Ｐの各形状部１１Ｐ〜１９ＦＰ、１９ＲＰの組み立て工程を説明するものではなく、単に、箱形成形状部１Ｐの各形状部１１Ｐ〜１９ＦＰ、１９ＲＰと箱１の各面とを対応させた箱１の成り立ちを説明するものである。
図３において、仕切り２が背面形状部１１Ｐの内側面に折り畳まれた状態から、まず、背面形状部１３Ｐに対して折れ線３２を介して右側面形状部１２Ｐが、それぞれの内側面を内側にして、略直角に折り曲げられ、図１に示すように、背面１３及び左側面１２が形成される。続いて、この左側面１２に対して折れ線３３を介して正面形状部１１Ｐが、それぞれの内側面を内側にして、略直角に折り曲げられ、図１に示すように、正面１１が形成される。続いて、この正面１１に対して折れ線３４を介して右側面形状部１４Ｐが、それぞれの内側面を内側にして、略直角に折り曲げられ、右側面１４が形成される。続いて、背面１３に対して折れ線３１を介して接着片形状部１５Ｐが、それぞれの内側面を内側にして、略直角に折り曲げられて、接着片１５が形成され、この接着片１５が右側面１４の他方の側縁の内側に接着剤を介して接着固定される。そして左側面１２及び右側面１４に対して折れ線３９、４２を介して各下フラップ形状部１７ＬＰ、１７ＲＰが、それぞれの内側面を内側にして、略直角に折り曲げられ、各下フラップ１７Ｌ、１７Ｒが形成される。続いて、背面１３及び正面１１に対して折れ線３７、４０を介して各底蓋形状部１９ＲＰ、１９ＦＰが、それぞれの内側面を内側にして、略直角に折り曲げられて、後側、前側の各底蓋１９Ｒ、１９Ｆが形成され、前側の底壁１９Ｆの一端の接着片１９３が右側の下フラップ１７Ｒの外側面に接着剤を介して固定されるとともに、後側の底壁１９Ｒの一端の接着片１９３が左側の下フラップ１７Ｌの外側面に接着剤を介して固定され、前側の底壁１９Ｆの凸状部１９１が後側の底壁１９Ｒの凹部１９２から底壁１９Ｒの内側面に差し込まれるとともに、後側の底壁１９Ｒの凸状部１９１が前側の底壁１９Ｆの凹部１９２から底壁１９Ｆの内側面に差し込まれて底面が形成される。
そして、この箱１は、既述のとおり、前側、後側の各底蓋１９Ｆ、１９Ｒに折り畳み線１９４、１９４が形成されており、この折り畳み線１９４、１９４を谷にして折り畳まれると、前側、後側の各底蓋１９Ｒ、１９Ｆが２つに分かれて、前側の底蓋１９Ｆ及び下フラップ１７Ｒがそれぞれ正面１１及び右側面１４との間の折れ線４０、４２を介して正面１１と右側面１４との間に折り曲げられ、後側の底蓋１９Ｒ及び下フラップ１７Ｌがそれぞれ背面１３及び左側面１２との間の折れ線３７、３９を介して背面１３と左側面１２との間に折り曲げられて、正面１１の内側面と右側面１４の内側面が対向し、背面１３の内側面と左側面１２の内側面が対向した状態で、箱１全体が仕切り２とともに扁平状に折り畳まれる。なお、この時点では、天蓋１８及び各上フラップ１６Ｌ、１６Ｒはそれぞれ、箱１の背面１３及び左右の各側面１２、１４の天面開口１０１側の端部延長上に延ばしたままにしてある。
このようにして包装用箱Ｂ１は折り畳まれ、この状態で、医療用のキット製品を包装する工場などに出荷される。
【００１９】
そして、医療用のキット製品を包装する工場では、箱１、仕切り２が次のようにして組み立てられ、医療用の各種の物品が収容された後、天面開口１０１が天蓋１８などにより閉塞されて包装される。
この仕切り２の組み立て及び医療用の各種の物品の包装について、図１、図２、図４及び図５を用いて説明する。なお、この説明では、仕切り２の組み立て及び医療用の各種の物品の包装について経時的に述べるが、この説明は、工場での仕切り２の実際の組み立て方及び医療用の各種の物品の実際の包装方法ではなく、単に、箱Ｂ１の構造に基づく仕切り２の組み立て及び医療用の各種の物品の包装についての説明としてある。
まず、箱１は、既述のとおりに折り畳まれた状態から、図１に示すように、左側面１２に対して背面１３を引き離し、右側面１４に対して正面１１を引き離すように、４側面を起こすと、正面１１及び右側面１４との間から前側の底蓋１９Ｆが折り畳み線１９４を介して曲げ戻されるとともに背面１３及び左側面１２との間から後側の底蓋１９Ｒが折り畳み線１９４を介して曲げ戻されて、各底蓋１９Ｆ、１９Ｒの対向する縁部が底面の一方の角部間を結ぶ斜めの線に近接する略斜めの位置、ここでは図２に示す略斜めの位置Ｌ１上で合わせられるとともに、前側の底蓋１９Ｆの縁部の凸部１９１が後側の底蓋１９Ｒの縁部の凹部１９２から後側の底蓋１９Ｒの内側に差し込まれ、後側の底蓋１９Ｒの縁部の凸部１９１が前側の底蓋１９Ｆの縁部の凹部１９２から前側の底蓋１９Ｆの内側に差し込まれた状態の略四角形状に戻されて、底面が形成され、箱１の底面開口１０２が閉塞される。これにより、箱１は天蓋１８及び各上フラップ１６Ｌ、１６Ｒが背面１３及び左右の各側面１２、１４の上部延長上に延ばされた状態の箱形に戻される。また、これと同時に、箱１の内部で背面１３の内側面に倒伏されていた仕切り２が箱１の底面の動きに連動して、仕切り２の正面２１及び上面２２が引き起こされて、略直方体形状に戻され、この仕切り２により、箱１内が医療用の各種の物品の大きさ、形状に合わせて区画される。
このように箱１は箱形に戻すだけのワンタッチで組み立てられ、箱１の内部が仕切り２により医療用の各種の物品を収納可能に区画される。この場合、箱１内の背面１３側に右側面１４側に寄せて仕切り２が設けられて、この仕切り２にバイアル瓶の保持部２２０が設けられ、この仕切り２の左側にブリスターパックされたツートックの収納部が画成され、この仕切り２の前側で箱１の左右の側面１２、１４間にブリスターパックされたシリンジの収納部分が画成される。そして、この箱１に、医療用の各種の物品が箱１内に箱詰めされる。この場合、図４に示すように、バイアル瓶６１は縦置きにして、箱１内のバイアル瓶の保持部２２０、すなわち仕切り２上の穴に通されて、この保持部２２０に保持される。ツートック６２は箱１内の仕切り２の左側のツートックの収納部に収納される。シリンジ６３は箱１内の仕切り２の前側のシリンジの収納部に収納される。添付文書６４は、図５に示すように、折り畳まれた状態で箱１内に収納された各物品の上に載せられる。
このようにしてキット製品を箱１内に収納したら、左側面１２及び右側面１４に対して折れ線３８、４１を介して各上フラップ形状部１６ＬＰ、１６ＲＰがそれぞれの内側面を内側にして略直角に折り曲げられて、各上フラップ１６Ｌ、１６Ｒが形成され、箱１の天面開口１０１上に配置される。続いて、背面１３に対して折れ線３５を介して天蓋形状部１８Ｐが、それぞれの内側面を内側にして、略直角に折り曲げられ、天蓋１８が形成される。そして、天蓋１８の差し込み片形状部１８１Ｐが内側に略直角に折り曲げられて、差し込み片１８１が形成され、この差し込み片１８１が正面１１の内側に差し込まれる。これにより箱１の天面開口１０１が閉塞されて、医療用のキット製品の包装が完了する。
【００２０】
このようにして包装用箱Ｂ１が組み立てられ、箱１の内部に薬剤が入ったバイアル瓶６１、ツートック６２、シリンジ６３、添付文書６４が納まりよく、また、取り出しやすく収容される。そして、バイアル瓶６１はバイアル瓶の胴部中間部を仕切り２の保持部２４０により保持されて、箱１内に緩衝空間を介して収容され、外部の衝撃から保護される。
【００２１】
なお、この包装用箱Ｂ１は、箱１の正面１１上部の半円形の切り欠き１１０から天蓋１８の差し込み片１８１に（親）指を当て、天蓋１８を上方に引き上げることにより、箱１の天面開口１０１が簡単に開放され、各種物品を各収納部から簡単に取り出すことができる。
【００２２】
以上説明したように、この包装用箱Ｂ１では、箱１内に当該箱１内を各種物品の大きさ、形状に合わせてレイアウトするための立体形状のレイアウト用仕切り２を一体に設け、箱１内のレイアウト用仕切り２により区画された各部に各種物品を収納するようにしたので、医療用のキット製品の大きさ、形状の異なる各種物品を納まりよく、また、取り出しやすいレイアウトで包装することができる。また、この箱１の場合、レイアウト用仕切り２に破損しやすい物品の保持部２２０を設けたので、医療用のキット製品に薬剤の入ったバイアル瓶が含まれていても、バイアル瓶６１を箱１内のレイアウト用仕切り２に設けた保持部２２０により破損を防止して保持することができる。さらに、仕切り２が箱１内に一体に設けられているので、箱１の中で仕切り２が動くことがなく、各種物品の初期の収納状態を安定的に維持することができる。
また、この包装用箱Ｂ１によれば、箱１は正面１１、左右両側面１２、１４及び背面１３の４側面と、天面をなす天蓋１８及び一対のフラップ１６ＬＰ、１６ＲＰと、底面をなす前後に２分割された底蓋１９Ｆ、１９Ｒ及び一対のフラップ１７ＬＰ、１７ＲＰとを備え、相互に隣り合う各側面が内側面を合せて、各底蓋１９Ｆ、１９Ｒと正面１１及び背面１３がそれぞれ内側面を合せて折り畳み可能に構成され、レイアウト用仕切り２は箱１の前後いずれか一方の底蓋１９Ｒ（又は１９Ｆ）と背面１３（又は正面１１）との間で折り畳み可能に構成されるので、箱１を仕切り２とともにワンタッチで組み立てることができ、複数の物品の包装作業を向上させることができる。
この場合、箱１に仕切り２が一体に設けられていても、仕切り２の各折れ線４６１、４６２の切り込み２２０の両側にそれぞれ、一連の切り込み４６１Ｃ、４６２Ｃが付けられているので、仕切り２が折り畳みやすくなり、包装用箱Ｂ１全体の生産性を向上させることができる。
また、この場合、箱１の各底蓋１９Ｆ、１９Ｒは、底面の相互に対向する一方の角部間を結ぶ斜めの線に近接する略斜めの位置で係合可能に、各底蓋１９Ｆ、１９Ｒの相互に対向する各縁部の一方の角部側となる一端部側に略斜めの位置に沿って凹部１９２が、他端部側に略斜めの位置から適宜突出する凸部１９１が各縁部間で凹部１９２と凸部１９１が対向するように形成され、各底蓋１９Ｆ、１９Ｒの一端部側の一部を箱１の底面が相互に対向する他方の角部間を結ぶ対角線上で折り畳み可能に所定の位置に折り畳み線１９４を付けて接着片１９３となし、各底蓋１９Ｆ、１９Ｒの各接着片１９３が近接する各下フラップ１７ＬＰ、１７ＲＰに接着固定され、各底蓋１９Ｆ、１９Ｒ間で各凸部１９１が各凹部１９２から各底蓋１９Ｆ、１９Ｒの内側に差し込まれて組み合わせられるので、箱１の底面の隙間を可及的に少なくして、改竄防止の効果を高めることができる。
さらに、この包装用箱Ｂ１によれば、箱１はレイアウト用仕切り２とともに、一枚のブランクシートから一体的に打ち抜かれて形成される一枚の紙基材Ｐからなるので、従来の貼り機にも適用することができる。
【００２３】
なお、この実施の形態では、包装用箱について、薬剤が収容された１本のバイアル瓶、ブリスターパックされた１本のシリンジ、ブリスターパックされた１個のツートック、折り畳まれた１枚の添付文書の組み合わせからなる医療用のキット製品を包装するものとして説明したが、この包装用箱は、箱及び仕切りの大きさ、形状を各種物品の大きさ、形状に合わせて種々に変更することにより、他の容器や器具の組み合わせからなる医療用のキット製品や、医療用以外の各種の物品の包装に同様に適用できることは勿論である。
【符号の説明】
【００２４】
Ｂ１  包装用箱
１  箱
１０１  開口
１０２  開口
１１  正面
１２  左側面
１３  背面
１４  右側面
１５  接着片
１６Ｌ  上フラップ
１６Ｒ  上フラップ
１７Ｌ  下フラップ
１７Ｒ  下フラップ
１８  天蓋
１８１  差し込み片
１９Ｆ  前側の底蓋
１９Ｒ  後側の底蓋
１９１  凸部
１９２  凹部
１９３  接着片
１９４  折り畳み線
２  レイアウト用仕切り
２１  正面
２２  上面
２２０  保持部（穴）
２３  背面
Ｐ  紙基材
１Ｐ  箱形成形状部
１１Ｐ  正面形状部
１１０  切り欠き
１２Ｐ  左側面形状部
１３Ｐ  背面形状部
１４Ｐ  右側面形状部
１５Ｐ  接着片形状部
１６ＬＰ  上フラップ形状部
１６ＲＰ  上フラップ形状部
１７ＬＰ  下フラップ形状部
１７ＲＰ  下フラップ形状部
１８Ｐ  天蓋形状部
１８１Ｐ  差し込み片形状部
１９ＦＰ  前側底蓋形状部
１９２Ｅ  一端側の縁部
１９１Ｅ  略中央の縁部
１９１Ｃ  切り込み
１９０Ｅ  他端側の縁部
１９ＲＰ  後側底蓋形状部
１９２ｅ  一端側の縁部
１９１ｅ  他端側の縁部
２Ｐ  仕切り形成形状部
２１Ｐ  正面形状部
２２Ｐ  上面形状部
２２０Ｐ  切り込み
２３Ｐ  背面形状部
３１〜４３  折れ線
４６１、４６２  折れ線
４６１Ｃ、４６２Ｃ  切り込み
Ｌ１  斜めの線
６１  バイアル瓶
６２  ツートック
６３  シリンジ
６４  添付文書
【図１】
2014234234.tif 000003
【図２】
2014234234.tif 000004
【図３】
2014234234.tif 000005
【図４】
2014234234.tif 000006
【図５】
2014234234.tif 000007
【図６】
2014234234.tif 000008
【図７】
2014234234.tif 000009
【図８】
2014234234.tif 000010
【図９】
2014234234.tif 000011